(57)【特許請求の範囲】
【請求項１】
頂部にステムを有し、該ステムを押下すると充填されている内容物を噴出するエアゾール缶を二本並列に配置し、また、該各ステムにそれぞれ連結され、その基端から吐出口まで連通する連通孔を形成して前記内容物を該吐出口から吐出するノズルを取付けた二剤吐出容器において、
前記二本のエアゾール缶を取付ける筒状のカバーには、レバー係合部を設け、
該レバー係合部に取付けられるレバーには、その一端側に該レバー係合部に揺動可能でかつ取外し可能に係合する支点軸と、その他端側に押圧操作可能に指当て面が形成されるとともに、該支点軸と該指当て面との間の左右にレバー連係片が突出して設けられ、
また、前記ノズルは二本のノズル管より構成され、該各ノズル管の基端部は前記各ステムの開口部にそれぞれ当接するとともに、該各ノズル管の外周面に形成された係合凹部が前記レバー連係片に連結されていて、該レバーの前記指当て面を押圧すると前記支点軸を支点として前記レバー連係片も押下されて該各ノズル管が前記各ステムを押下する構成とされていることを特徴とする二剤吐出容器。
【請求項２】
レバー連係片はフレキシブルな薄肉部介してレバーに一体成形されていて、ノズルが該レバーに対して揺動可能に設けられていることを特徴とする請求項１、２記載の二剤吐出容器。
【発明の詳細な説明】
【０００１】
【発明の属する技術分野】
この発明は、二本のエアゾール缶を並列に配置した二剤吐出容器に関する。
【０００２】
【従来の技術】
頂部に設けたステムを押圧すると、充填されている内容物が噴出されるエアゾール缶は広く知られている。ここで、第１剤と第２剤を混合して使用する染毛剤などでは、酸化染料を含有する第１剤と酸化剤を含有する第２剤をそれぞれ別のエアゾール缶内に充填し、各内容物を同時に噴出するようにした二剤吐出容器が知られている。かかる二剤吐出容器においては、ステムにノズルを設けるとともに、このノズルを押圧するレバーを設けている。
【０００３】
例えば、特開平１１−５９７４６号公報には、中央で二室に区画して箱形としたノズルを有する二剤吐出容器が記載されている。この各室の下面にそれぞれステムに当接するノズル接続管を突出し、また、各室の前面にそれぞれの吐出口を近接して設けて、二剤がほぼ接触した状態で並列して吐出されるようにしている。そして、ノズルの上面にレバーを配置し、レバーを押圧操作することによってノズルを押し下げて、それぞれの吐出口から同時に内容物を吐出するようにしている。
【０００４】
また、特開平１１−２７８５５４号公報には、ノズルを二本のノズル管により構成した二剤吐出容器が記載されている。このノズル管は中間で９０度に折り曲げられ、それぞれのノズル管の基端を各ステムに接続し、他端側の吐出口を互いに近接した、上から見てＶ字状に配設している。そして、各ノズル管の上面を覆うレバーを設けて、このレバーを押圧操作することによって、レバーが各ノズル管を押下して、それぞれのノズル管から同時に内容物を吐出するようにしている。
【０００５】
ここで、二剤吐出容器では、エアゾール缶のステムから噴出した内容物がノズルを介して吐出されるために、一旦使用されると、ノズル内にその一部が残留することになる。このように残留すると不衛生になるばかりか、内容物によっては変質したり、また硬く固まってノズルを詰まらせるおそれもある。このため、ノズル内を洗浄できるようにすることが望まれている。
【０００６】
【発明が解決しようとする課題】
特開平１１−５９７４６号公報に記載されている発明では、箱形のノズルのみを分離して洗浄するようにされている。しかし、各室の下面にノズル接続管を突出し、前面に吐出口を設けているために、各室内までは十分には洗浄できない構造とされている。また、この従来技術には、両室を拡開して洗浄する例も記載されているが、拡開するためにその構造が複雑になっている。
特開平１１−２７８５５４号公報に記載されている発明では、ノズル管のみを分離して洗浄するようにしている。
【０００７】
このように、上記した従来の二剤吐出容器では、ノズルのみを取外した状態で、洗浄するようにしている。しかし、ノズルは小さな部品であり、洗浄作業が面倒であるばかりか、洗浄作業中に使用者の不注意などによって紛失するおそれもあった。特に、洗浄後は、ノズルのみを分離した状態で放置して乾燥されることが多く、紛失の原因になっている。
【０００８】
そこで、この発明では、ノズルをレバーと一体的に連結した状態でエアゾール缶から取外し、このレバーと連結した状態でノズルの洗浄ができる構造の簡単な二剤吐出容器とすることを目的としている。
【０００９】
【課題を解決するための手段】
請求項１の発明では、二本のエアゾール缶を取付ける筒状のカバーにはレバー係合部を設け、レバー係合部に取付けられるレバーには、その一端側にレバー係合部に揺動可能でかつ取外し可能に係合する支点軸と、その他端側に押圧操作可能に指当て面が形成されるとともに、支点軸と指当て面との間の左右にレバー連係片が突出して設けられ、また、ノズルは二本のノズル管より構成され、各ノズル管の基端部は各ステムの開口部にそれぞれ当接するとともに、各ノズル管の外周面に形成された係合凹部がレバー連係片に連結されていて、レバーの指当て面を押圧すると支点軸を支点としてレバー連係片も押下されて各ノズル管が各ステムを押下する構成とされている。
この構成からなる二剤吐出容器が、レバーを押圧操作されると、レバーに一体的に連結されたノズル管からなるノズルによって、ステムは押下される。これにより、並列配置されている二本のエアゾール缶内の内容物がノズル内の連通孔を通って吐出口から吐出される。
【００１０】
また、ノズルを洗浄する際には、レバーをカバーのレバー係合部から取り外すと、レバーに一体的に連結されているノズル管も取り外すことができて、ノズル管とレバーが連結した状態で洗浄作業を行うことができる。
【００１１】
請求項２の発明では、ノズルはレバーに揺動可能に設けられている。このためレバーの一側をレバー係合部に取付けられていても、レバーを押し下げると、ステムをその押し下げ方向に沿って押下げられて、ステムに横方向の力が作用しない。
【００１２】
【発明の効果】
以上説明したように、請求項１の発明では、二本のエアゾール缶を取付ける筒状のカバーにはレバー係合部を設け、レバー係合部に取付けられるレバーには、その一端側にレバー係合部に揺動可能でかつ取外し可能に係合する支点軸と、その他端側に押圧操作可能に指当て面が形成されるとともに、支点軸と指当て面との間の左右にレバー連係片が突出して設けられ、また、ノズルは二本のノズル管より構成され、各ノズル管の基端部は各ステムの開口部にそれぞれ当接するとともに、各ノズル管の外周面に形成された係合凹部がレバー連係片に連結されていて、レバーの指当て面を押圧すると支点軸を支点としてレバー連係片も押下されて各ノズル管が各ステムを押下する構成とされ、支点軸はレバー係合片に取外し可能とされているために、ノズル管をレバーと連結した状態で、洗浄作業を容易に行うことができるという効果を奏する。
【００１３】
【発明の実施の形態】
以下、この発明を染毛剤の容器に適用した実施例を図１〜図５を参照して説明する。
この実施例のエアゾール缶１、１は、図１に示すように、有底筒状とされた容器本体１ａの上端をマウンテインカップ１ｂにより密封し、その中央にステム１ｃが立設されている。このステム１ｃは上方に付勢されていて、これを押下すると充填されている頭髪染毛剤が噴出する公知のエアゾール缶とされている。
【００１４】
これらのエアゾール缶１内には、酸化染料を含有する第１剤と酸化剤を含有する第２剤がおのおの充填されている。二本のエアゾール缶１、１は、その両胴部外周を樹脂フィルム１ｄにより被覆されて並列に配置されている。また、二つのマウンテインカップ１ｂには固定リング２が固定され、二本のエアゾール缶１、１の並列配置を確実なものとされている。
固定リング２には、カバー３が取付けられ、このカバー３にノズル４から頭髪染毛剤を吐出する操作を行うレバー５が取付けられている。
【００１５】
固定リング２は、全体を小判形とされ、二個のマウンテインカップ１ｂ、１ｂをそれぞれ挿入する挿入孔２０が形成された短い筒状とされている。この挿入孔２０には、図２に示すように、マウンテインカップ１ｂの首部に係合する係合片２１が突出形成され、また、マウンテインカップ１ｂの頭部に当接する位置決め片２２が設けられている。これら係合片２１と位置決め片２２とにより、固定リング２が二本のエアゾール缶１、１に固定されている。また、固定リング２の中間外周にカバー３を取付ける取付突条２３が形成されている。
【００１６】
カバー３は、固定リング２とほぼ同じ小判形の外周とされた筒状に形成され、図２、図３に示すように、その内周面中央に横方向へ係合リブ３０が設けられている。この係合リブ３０が固定リング２の取付突条２３に係合して、カバー３を固定リング２に取付けられている。このカバー３の短縁側では、内側に折り曲げ、さらに下方に向かう内周壁３１ａを形成して袋状の周壁３１を形成している。そしてこの周壁３１から延長したベース板３２により上半部と下半部とに分割されている。このベース板３２にステム１ｃ、１ｃを臨ませて、挿通孔３３が並列配置されている。また、長径側の中央位置でその上縁を大きく切り欠いて、カバー３の前側にノズル突出凹部３４が形成され、また後側に指挿入凹部３５が形成されている（図１参照）。また、この周壁３１の外周面の中間部に、図２に二点差線で示すように、保存状態で被せるキャップ６を取付けるキャップ取付段差３６が形成されている。
【００１７】
また、ノズル突出凹部３１に臨むベース板３２上には、レバー５の前端を支持するレバー係合部３７が形成されている。この実施例におけるレバー係合部３７は、ノズル突出凹部３４に臨むベース板３２上の左右に立設された逆Ｌ字状のレバー係合片３７ａとされている。
【００１８】
ノズル４は、二本のノズル管４０、４０により構成されている。このノズル管４０は、垂直方向の基端側４ａと水平方向に延びる先端側４ｂとに中間部で９０度に曲がった形状とされていて、エアゾール缶１を立てた状態で、充填された頭髪染毛剤が水平方向に吐出される。そして各ノズル管４０内には、当接口４１から吐出口４２まで連通する連通孔４３がそれぞれ設けられている。当接口４１における連通孔４３は、ステム１ｃの開口端に当接して、連結可能にロート状に拡開されている。これにより、エアゾール缶１内の内容物を噴出した際に、液漏れを生じることなく連通孔４３を通ってノズル管４０の先端から吐出される。また、当接口４１の外周面に、約２７０度にわたって係合凹部４４が形成されている（図１参照）。
【００１９】
レバー５は、図１，図５に示すように、板状のレバー本体５０が中間で約１５０度程度に曲げられていて、その先端縁両側に突出する支点軸５１が設けられている。この支点軸５１の左右が、レバー係合片３７ａに係合して、レバー５を揺動可能に取付けられている。また、レバー本体５０の他側上面には、指当て面５２が形成されて、使用者の指により押圧操作可能とされている。このレバー本体５０の中央下面には、連結片５３が薄肉部５４を介して一体成形されていて（図３参照）、フレキシブルな薄肉部５４によって、連結片５３がレバー本体５０に対して揺動可能に取り付けられている。そして、連結片５３の両側面の先端にレバー連係片５５が設けられている。このレバー連係片５５は、約２７０度の円弧凹面とされ、ノズル基端側４ａに形成した係合凹部４４に嵌着して係合している。これにより、二本のノズル管４０は、その当接口４１が各ステム１ｃ、１ｃに当接する間隔を開けて配置され、また、先端部４２が相互に接触するように配置されて、平面から見てＶ字状に配設固定されている。このようにして、レバー連係片５５に係合凹部４４が嵌合して、図２に示すようにレバー５と両ノズル管４０，４０は一体的に連結されている。
【００２０】
次にこのように構成されたこの実施例の作用について説明する。
使用する際に、保護キャップ６を取り外した状態で、使用者は指挿入凹部３５から指を入れて、レバー５の指当て面５２を押圧操作する。この際、使用者は、カバー３に設けられている指挿入凹部３５内に指を差し入れることになるためにレバー５のほぼ中央を押圧して、レバー５に左右均等な作用力を作用させることになる。このレバー５の押圧操作により、レバー本体５０はレバー係合片３７ａに回転可能に支持されている支点軸５１を支点として下方へ押し下げられる。ここで、この押圧操作により、レバー本体５０は、支点軸を中心として円運動することになるが、薄肉部５４を介して設けられている連結片５３は、揺動して直線的に押し下げられる。そして、各レバー連係片５５により、両ノズル管４０，４０がステム１ｃを下方に押し下げる。これにより、エアゾール缶１内に充填されている内容物が噴出し、ノズル管４０内の連通孔４３に導かれて、それぞれの吐出口４２から吐出される。
【００２１】
この際、ノズル４は、図４に示すように、平面から見て二本のノズル管４０がＶ字状に形成されているため、別々の吐出口から吐出された二条のクリーム状の染毛剤が、吐出後に直ちに軽く接触して、二剤が一体となって吐出される。このように吐出された二剤を櫛やブラシに受け、そして頭髪に塗布される。
また、使用後にノズル４内に残留した染毛剤を洗浄するには、レバー５の指当て面５２側に持ち上げた上で、レバー５の支点軸５１をレバー係合片３７ａとの係合を外すと、ノズル４とレバー５が一体の状態で取外される。
【００２２】
レバー５と一体的に取付けられたノズル４は、その当接口４１と吐出口４２がそれぞれ露出しているために、それぞれの口から洗浄水を流入させたり、図示しない洗浄ブラシを連通孔４３内に挿入して洗浄することができる。こうして、レバー５にノズル４を取付けた状態で洗浄作業が行われ、また洗浄後に放置して乾燥する際にも、ノズル４はレバー５と一体であり、小さな部品であるノズル４の紛失が防止される。
【００２３】
詳述した上記実施例では、ノズル５を薄肉部５４を介して揺動可能に設けてステム１ｃを直線的に押し下げる例を示したが、僅かな押下げ量で内容物を噴出するエアゾール缶を使用する場合や、支点軸からステムまでの距離（支点から作用点までの距離）を大きくして実施する場合には、ノズル４の押下運動が直線に近づいて、ステム１ｃをほぼ垂直に押し下げることができるために、必ずしもレバー５に対してノズル４を揺動可能に設けなくても実施することができる。
【００２４】
また、上述した実施例のレバー係合部３７は、逆Ｌ字状のレバー係合片３７ａを立設した例を示しているが、レバー係合部３７は支点軸５１を取り外し可能であって、揺動可能に取付ける構成であればよい。例えば図６にはこのレバー係合部３７の他例を示し、ベース板３２上に、間隔を空けて二本のレバー係合片３７ｂ、３７ｃを並列に配置し、レバー係合片３７ｂの先端に係合突起３７ｄを設けて、先端の間隔を狭めている。この他例では、支点軸５５ａの先端をこの両レバー係合片３７ｂ、３７ｃ内に収容して、レバー５を揺動可能に取付けている。レバー５を取り外す際には、レバー５の指当て面５２側に持ち上げた上で、支点軸５５ａをレバー係合片３７ｂ、３７ｃの間から引き抜いて行う。
【図面の簡単な説明】
【図１】分離斜視図
【図２】図４におけるＡーＡ線で切断した一部の断面図
【図３】図４におけるＢーＢ線で切断した一部の断面図
【図４】一部切欠平面図
【図５】ノズルとレバーの分離斜視図
【図６】図３に対応して示す他の実施例の一部断面図
【符号の説明】
１…  エアゾール缶
１ｃ…ステム
２…固定リング
３…カバー
４…ノズル
５…レバー
３２…ベース板
３７…レバー係合部
３７ａ…レバー係合片
４０…ノズル管
【図１】
0004855605.tif 000002
【図２】
0004855605.tif 000003
【図３】
0004855605.tif 000004
【図４】
0004855605.tif 000005
【図５】
0004855605.tif 000006
【図６】
0004855605.tif 000007